(57)【特許請求の範囲】
【請求項１】
使用時に履物の内側に敷かれ、この履物の内側のつま先側に配置される先端部、踵側に配置される後端部、および前記先端部と前記後端部とが連ねられた中央部、から構成されたインソールにおいて、
前記履物と接着する接着層が前記インソールの裏面のうち前記先端部近傍および／または前記後端部近傍に形成され、前記接着層の一部に介在シートが接着され、この介在シートが剥離紙でない、
ことを特徴とするインソール。
【請求項２】
前記介在シートの一部が、この介在シートに折り重なる方向に折り返された、
ことを特徴とする請求項１に記載のインソール。
【請求項３】
未使用時に、重力の方向とほぼ直交する方向に、他の前記インソールに積層された、
ことを特徴とする請求項１または請求項２に記載のインソール。
【請求項４】
請求項１から請求項３のいずれか１項に記載のインソールが幅方向に複数連ねられ、前記先端部と前記後端部とが互いに逆さまである、
ことを特徴とするインソールセット。
【請求項５】
請求項４に記載されたインソールセットが収納されたほぼ直方体の箱体であり、正面が開口されて前記介在シートを露出させた開口部が形成された、
ことを特徴とするインソールセット入り収納体。
【発明の詳細な説明】
【技術分野】
【０００１】
本発明は、例えば靴やスリッパなどの履物の中に敷いて用いられるインソール、インソールセット、およびインソールセット入り収納体に関するものである。
【背景技術】
【０００２】
従来、例えば靴やスリッパなどの履物の中に敷いて用いられるインソールは、用途に応じて様々なものが提案されている。特に、例えば屋内の公共施設や宿泊施設など、不特定多数の利用者が訪れる施設で用いられるスリッパは、衛生と利便の観点から容易に交換することができる使い捨てのインソールが用いられる。このようなインソールとして、下記特許文献１に記載の中敷シートが提案されている。この中敷シートは、紙類から形成されて裏側に接着層が設けられ、スリッパの中に敷かれて貼り付けられる。
【０００３】
一般的に、インソールの接着層は未使用時において、埃などの付着を防ぐために台紙として剥離紙が貼り付けられている。また、使い捨てのインソールは頻繁に交換されるため、複数枚単位で各施設に備えられ、積層されて箱などに収納されている。
【先行技術文献】
【特許文献】
【０００４】
【特許文献１】特開２００２−３６０３０８号公報
【発明の概要】
【発明が解決しようとする課題】
【０００５】
しかし、剥離紙はシリコン樹脂などが用いられているため、通常の紙よりも高価であり、また、剥離された後に不要となる。したがって、剥離紙が用いられるとインソールが高価となり、剥離紙が剥離された後にゴミとして残る。
【０００６】
一方で、インソールの接着層に剥離紙が貼りつけられていない場合、積層された各インソールが接着され、剥がす際にインソールが破けて使えなくなる場合がある。
【０００７】
本発明は、上記の実情に鑑みて提案されたものである。すなわち、安価に生産することができ、互いを接着させずに積層することができるインソール、インソールセット、およびインソールセット入り収納体の提供を目的とする。
【課題を解決するための手段】
【０００８】
上記目的を達成するために、本発明に係るインソールは、使用時に履物の内側に敷かれ、この履物の内側のつま先側に配置される先端部、踵側に配置される後端部、および前記先端部と前記後端部とが連ねられた中央部、から構成されたインソールにおいて、前記履物と接着する接着層が前記インソールの裏面のうち前記先端部近傍および／または前記後端部近傍に形成され、前記接着層の一部に介在シートが接着され、この介在シートが剥離紙でない、ことを特徴としている。
【０００９】
本発明に係るインソールは、前記介在シートの一部が、この介在シートに折り重なる方向に折り返された、ことを特徴としている。
【００１０】
本発明に係るインソールは、未使用時に、重力の方向とほぼ直交する方向に、他の前記インソールに積層された、ことを特徴としている。
【００１１】
本発明に係るインソールセットは、インソールが幅方向に複数連ねられ、前記先端部と前記後端部とが互いに逆さまである、ことを特徴としている。
【００１２】
本発明に係るインソールセット入り収納体は、インソールセットが収納されたほぼ直方体の箱体であり、正面が開口されて前記介在シートを露出させた開口部が形成された、ことを特徴としている。
【発明の効果】
【００１３】
本発明に係るインソールは上記した構成である。この構成によれば、未使用時に積層されたインソールは介在シートによって密着されず分離される。したがって、互いを接着させずに積層することができる。
【００１４】
また、介在シートが剥離紙でない。したがって、剥離紙の剥離層に用いられるシリコン樹脂などが不要であるため、安価である。
【００１５】
本発明に係るインソールは、介在シートの一部が、この介在シートに折り重なる方向に折り返されている。この構成によれば、介在シートが折り返されて介在シートの厚みが増すため、積層されたインソールは介在シートによってさらに密着されず分離される。したがって、互いを接着させずに積層することができる。
【００１６】
また、介在シートが折り返されているため、折り返された部分が摘み易い。したがって、インソールを容易に摘み上げることができる。
【００１７】
本発明に係るインソールは、未使用時に、重力の方向とほぼ直交する方向に積層されている。この構成によれば、積層されたインソールに作用する重力が積層面にほぼ平行な方向に大きく、積層方向に小さいため、インソールが密着しない。したがって、互いを接着させずに積層することができる。
【００１８】
本発明に係るインソールセットは、インソールが幅方向に複数連ねられ、先端部と後端部とが互いに逆さまである。この構成によれば、履物の着用者が必要とする枚数のインソールを一度に摘み上げることができる。
【００１９】
本発明に係るインソールセット入り収納体は、インソールセットが収納されたほぼ直方体の箱体であり、正面が開口されて介在シートを露出させた開口部が形成されている。この構成によれば、直方体の底面側を載置させて収納体が立たせられる。したがって、収納されたインソールセットを立たせて互いに密着さず、接着させずに積層することができる。また、開口部から露出された介在シートが摘みやすく、箱体からインソールセットを容易引き出すことができる。
【図面の簡単な説明】
【００２０】
【図１】本発明の実施形態に係るインソール（インソールセット）の外観を示し、（ａ）が平面図、（ｂ）が側面図である。
【図２】本発明の実施形態に係るインソールを履物の内側に敷く際の外観を示した外観斜視図である。
【図３】本発明の実施形態に係るインソール入り収納体の外観を示した外観斜視図である。
【発明を実施するための形態】
【００２１】
以下に、本発明の実施形態を図面に基づいて説明する。図１は本実施形態に係るインソール１０の外観が示され、また、図２は本実施形態に係るインソール１０を履物の内側に敷く際の外観が示されている。なお、図１では、本実施形態を理解しやすくするために各接着層１５，１６、および各介在シート１８，１９が誇張されて厚く描かれている。各接着層１５，１６、および各介在シート１８，１９については後述する。
【００２２】
図１および図２において、本実施形態に係るインソール１０は一対のインソールセット１００の片方であり、片方の履物としてのスリッパ３のインソールに相当する部分（以下、「インソール部７」と記す。）の形状、またはスリッパ３を着用した着用者（図示せず）の足の裏の形状が平面的に模られてシート状に形成されている。インソールセット１００は、二枚のインソール１０が幅方向に連ねられ、それぞれ上下が逆さまである。各インソール１０は境界に形成されたミシン目で使用時に切り離される。インソール１０に用いられる素材は、例えばライナー紙、不織布などである。なお、履物はスリッパ３の他、サンダル、靴などである。
【００２３】
インソール１０は、先端部１１、中央部１２、および後端部１３から構成されている。先端部１１はスリッパ３のインソール部７のつま先側４の形状（または着用者の足の裏のうち、つま先側の形状）が平面的に模られている。後端部１３はスリッパ３のインソール部７の踵側５の形状（または着用者の足の裏のうち、踵側の形状）が平面的に模られている。中央部１２はスリッパ３のインソール部７の中央６の形状（または着用者の足の裏のうち、土踏まず近傍の形状）が平面的に模られ、先端部１１と後端部１３とがそれぞれ前後に連ねられている。
【００２４】
インソール１０は、スリッパ３の内側に敷かれ、裏面がスリッパ３のインソール部７と接触し、表面が着用者の足の裏と接触する。インソール１０は先端部１１がスリッパ３のインソール部７のつま先側４に配置され、後端部１３が踵側５に配置され、中央部１２が中央６に配置される。インソール１０の裏面は、接着層１４が形成され、この接着層１４の一部に介在シート１７が接着されている。
【００２５】
接着層１４は、先端部１１の近傍および後端部１３の近傍に形成されている。詳説すれば、接着層１４は帯状であり、先端部１１と中央部１２との境界に形成された先端接着層１５、および後端部１３と中央部１２との境界に形成された後端接着層１６から構成されている。先端接着層１５の位置は、着用者の足の裏の指の付け根近傍に相当し、一方、後端接着層１６の位置は、踵近傍に相当する。先端接着層１５からインソール１０の先端まで、後端接着層１６とインソール１０の後端まで、および中央部１２は接着層１４が形成されていない。各接着層１５，１６は例えばホットメルト接着剤などであり、インソール１０に塗布される。各接着層１５，１６により、インソール１０は使用時にスリッパ３のインソール部７に接着され、使用後に剥離される。なお、接着層１４は各接着層１５，１６のいずれか一方のみから構成されていてもよい。
【００２６】
介在シート１７は、各接着層１５，１６の一部に接着されると共に、介在シート１７の一部が、この介在シート１７に折り重なる方向に折り返されて二重に重ねられている。詳説すれば、介在シート１７は先端接着層１５のうち、インソール１０の先端部１１側に接着された先端介在シート１８、および後端接着層１６のうち、インソール１０の後端部１３側に接着された後端介在シート１９から構成されている。各介在シート１８，１９は、被接着部２０、および折返し部２１から構成されている。被接着部２０は接着層１４の一部に接着されている。折返し部２１は被接着部２０側（中央部１２側）に折り返されて二重に重ねられている。各介在シート１８，１９は接着可能なものであり、素材が例えば、上質紙、中質紙、塗工紙（コーテッド紙）、微塗工紙アート紙（Ａ１）、コート紙、軽量コート紙（Ａ３・Ｂ３）微塗工紙１・２、インディアペーパー（紙）、色上質紙、ファンシーペーパー、新聞巻取り紙などである。厚みが、例えば約０．０３ｍｍから約１．０ｍｍである。したがって、各介在シート１８，１９は剥離紙と異なり、シリコン樹脂などにより形成される剥離層が存在しない。なお、場合によっては各介在シート１８，１９が折り重ねられず折返し部２１が被接着部２０からわずかに離れている状態であってもよく、また、折り返されていなくてもよい。
【００２７】
以上のようにインソール１０が構成されている。
【００２８】
次に、本実施形態に係るインソールセット入り収納体２００についてインソール１０の作用と共に図面に基づいて説明する。図３は本実施形態に係るインソールセット入り収納容器２００の外観が示されている。
【００２９】
図３において、インソールセット入り収納体２００は、インソールセット１００と、このインソールセット１００が収納される収納容器１とから構成されている。収納容器１は縦長のほぼ直方体の箱体でありスリッパ３が収納されるスリッパラック（図示せず）などに収まる大きさである。収納容器１は上面および正面のほぼ半分が開口されて開口部２が形成されている。開口部２からはインソールセット１００の介在シート１７が露出している。複数のインソールセット１００は積層され、積層された方向とほぼ直交する方向に立てられた状態で収納容器１に収納されている。なお、インソールセット１００が分離されてインソール１０が単体で積層されて収納されていてもよい。
【００３０】
各インソールセット１００は、裏面の接着層１４の一部に介在シート１７が接着され、二重に重ねられて形成された被接着部２０および折返し部２１が各インソールセット１００の間に介在されている。積層された各インソールセット１００は、介在シート１７によって密着されず分離され、それぞれの表面と裏面との間に介在シート１７の厚み分の隙間が形成される。インソール１０はスリッパ３の着用者に使用される際、介在シート１７の折返し部２１が摘まれ、開口部２を介して収納容器１から引き出される。
【００３１】
図２において、スリッパ３の内側に敷かれてインソール部７に裏面が対面させられたインソール１０は、着用者によりインソール部７に圧着され、先端接着層１５と後端接着層１６とが、着用者の足の裏の指の付け根近傍と踵近傍とでインソール部７に接着される。
【００３２】
次に、本実施形態に係るインソール１０の効果を説明する。
【００３３】
上記したように、本実施形態に係るインソール１０は、先端部１１、中央部１２、および後端部１３から構成され、先端部１１と中央部１２との境界に先端接着層１５が形成され、後端部１３と中央部１２との境界に後端接着層１６が形成されている。各接着層１５，１６は、先端介在シート１８が先端接着層１５のうち、インソール１０の先端部１１側に接着され、後端介在シート１９が後端接着層１６のうち、インソール１０の後端部１３側に接着されている。各介在シート１８，１９は、被接着部２０、および折返し部２１から構成され、被接着部２０が各接着層１５，１６の一部に接着され、折返し部２１が被接着部２０側（中央部１２側）に折り返されて二重に重ねられている。
【００３４】
この構成によれば、未使用時に積層された各インソール１０（インソールセット１００）は各介在シート１８，１９によって密着されず分離され、それぞれの表面と裏面との間に各介在シート１８，１９の厚み分の隙間が形成される。したがって、互いを接着させずに積層することができる。
【００３５】
また、接着層１４は、先端接着層１５の位置が、着用者の足の裏の指の付け根近傍に相当し、一方、後端接着層１６の位置が、踵近傍に相当する。この構成によれば、インソール１０は、着用者の足の裏と最もよく密着される部分に各接着層１５，１６が形成され、接着層１４の範囲が最小限である。したがって、スリッパ３のインソール部７と十分に接着させつつ、接着層１４を安価に形成することができる。
【００３６】
また、各介在シート１８，１９は、被接着部２０が各接着層１５，１６の一部に接着されているため、この構成により、各接着層１５，１６に各介在シート１８，１９が接着されていない区域が形成されている。したがって、インソール１０から各介在シート１８，１９を剥離せずにスリッパ３のインソール部７に接着することができる。
【００３７】
本実施形態に係るインソール１０によれば、各介在シート１８，１９は接着可能なものであり、素材が例えば、上質紙、中質紙、塗工紙（コーテッド紙）、微塗工紙アート紙（Ａ１）、コート紙、軽量コート紙（Ａ３・Ｂ３）微塗工紙１・２、インディアペーパー（紙）、色上質紙、ファンシーペーパー、新聞巻取り紙などである。厚みが、例えば約０．０３ｍｍから約１．０ｍｍである。この構成によれば、各介在シート１８，１９は剥離紙と異なり、シリコン樹脂などにより形成される剥離層が存在しない。したがって、剥離層に用いられるシリコン樹脂などが不要であるため、安価である。
【００３８】
本実施形態に係るインソール１０は、各介在シート１８，１９が、被接着部２０、および折返し部２１から構成されている。被接着部２０は接着層１４の一部に接着され、また、折返し部２１は被接着部２０側（中央部１２側）に折り返されて二重に重ねられている。この構成によれば、各介在シート１８，１９が二重に折り重ねられて厚みが増すため、積層されたインソール１０は各介在シート１８，１９によってさらに密着されず分離される。したがって、互いを接着させずに積層することができる。
【００３９】
また、各介在シート１８，１９が折り返されて折返し部２１が形成されているため、折返し部２１が摘み易い。したがって、積層されたインソール１０を容易に摘み上げることができ、開口部２を介して収納容器１から容易に引き出すことができる。
【００４０】
本実施形態に係るインソール１０によれば、各インソールセット１００が積層され、積層された方向とほぼ直交する方向に立てられた状態で収納容器１に収納されている。各インソールセット１００は、裏面の接着層１４の一部に介在シート１７が接着され、二重に重ねられて形成された被接着部２０および折返し部２１が各インソールセット１００の間に介在されている。積層された各インソールセット１００は、介在シート１７によって密着されず分離され、それぞれの表面と裏面との間に介在シート１７の厚み分の隙間が形成される。この構成によれば、積層されたインソールセット１００に作用する重力が積層面にほぼ平行な方向に大きく、積層方向に小さいため、各インソールセット１００が密着しない。したがって、互いを接着させずに積層することができる。
【００４１】
本実施形態に係るインソール１０によれば、先端接着層１５からインソール１０の先端まで、後端接着層１６とインソール１０の後端まで、および中央部は接着層１４が形成されていない。この構成により、インソール１０は、スリッパ３との間の一部が接着され、つま先側４、中央６、および踵側５との間が接着されていない。したがって、使用後にインソール１０を容易に剥離することができる。
【００４２】
本実施形態に係るインソールセット１００は、二枚のインソール１０が幅方向に連ねられ、先端部１１と後端部１３とが互いに逆さまである。この構成によれば、スリッパ３の着用者が必要とする二枚のインソール１０を一度に摘み上げることができる。
【００４３】
本発明に係るインソールセット入り収納体２００は、インソールセット１００が収納されたほぼ直方体の収納容器１であり、正面のほぼ半分が開口されて介在シート１７を露出させた開口部２が形成されている。この構成によれば、収納容器１の底面側をスリッパラックなどに載置させて収納体２００が立たせられる。したがって、収納されたインソールセット１００を立たせて互いに密着させず、接着させずに積層することができる。また、開口部２から露出された介在シート１７が摘みやすく、開口部２を介して収納容器１からインソールセット１００を容易に引き出すことができる。
【００４４】
なお、上記した各接着層１５，１６はいずれか一方のみが形成されていても、各インソール１０を十分に接着させることができる。また、各介在シート１８，１９が二重に折り重ねられなくても積層されたインソール１０が密着されず分離され、互いを接着させずに積層することができる。
【００４５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４６】
１                  収納容器（箱体）
２                  開口部
３                  スリッパ（履物）
４                  つま先側
５                  踵側
６                  中央
７                  インソール部
１０                インソール
１１                先端部
１２                中央部
１３                後端部
１４                接着層
１５                先端接着層
１６                後端接着層
１７                介在シート
１８                先端介在シート
１９                後端介在シート
２０                被接着部
２１                折返し部
１００              インソールセット
２００              インソールセット入り収納体
【図１】
0005527701.tif 000002
【図２】
0005527701.tif 000003
【図３】
0005527701.tif 000004